(57)【特許請求の範囲】
【請求項１】
入賞口に対するパチンコ球の入賞如何等の遊技状態に基づいて各種制御を行う主制御部と、
該主制御部からの指令信号に基づいて、パチンコ球払出装置を駆動してパチンコ球を払い出させる払出制御部と、
パチンコ遊技機各部に異常があるか否かを判断して判断結果を出力する異常判断手段と、
前記異常判断手段から出力される判断結果を管理する判断結果管理手段と、
発生した異常の内容を報知するための単一の報知手段と、
前記判断結果管理手段に管理されている判断結果に基づいて前記報知手段に指令を出して異常の内容を報知させる報知指令手段と、
を備えるパチンコ遊技機であって、
前記異常判断手段は、
前記主制御部に設けられ、パチンコ遊技機各部に設けられている各種検出手段による検出結果に基づいて当該パチンコ遊技機に異常があるか否かを判断して判断結果を出力する様に構成されていると共に、前記払出制御部にも設けられ、当該払出制御部に接続されている前記パチンコ球払出装置を含む各種装置に異常があるか否かを判断して判断結果を出力する様に構成されており、
複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させる
ことを特徴とするパチンコ遊技機。
【請求項２】
入賞口に対するパチンコ球の入賞如何等の遊技状態に基づいて各種制御を行う主制御部と、
該主制御部から指令信号に基づいて、抽選図柄等の所定の画像を表示する画像表示装置を駆動して所定の画像を表示させる画像制御部と、
パチンコ遊技機各部に異常があるか否かを判断して判断結果を出力する異常判断手段と、
前記異常判断手段から出力される判断結果を管理する判断結果管理手段と、
発生した異常の内容を報知するための単一の報知手段と、
前記判断結果管理手段に管理されている判断結果に基づいて前記報知手段に指令を出して異常の内容を報知させる報知指令手段と、
を備えるパチンコ遊技機であって、
前記異常判断手段は、
前記主制御部に設けられ、パチンコ遊技機各部に設けられている各種検出手段による検出結果に基づいて当該パチンコ遊技機に異常があるか否かを判断して判断結果を出力する様に構成されていると共に、前記画像制御部にも設けられ、前記画像表示装置及び当該画像制御部に異常があるか否かを判断して判断結果を出力する様に構成されており、
複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させる
ことを特徴とするパチンコ遊技機。
【請求項３】
入賞口に対するパチンコ球の入賞如何等の遊技状態に基づいて各種制御を行う主制御部と、
該主制御部から指令信号に基づいて、効果音等の所定の音声を出力する音声出力装置を駆動して所定の音声を出力させる音声制御部と、
パチンコ遊技機各部に異常があるか否かを判断して判断結果を出力する異常判断手段と、
前記異常判断手段から出力される判断結果を管理する判断結果管理手段と、
発生した異常の内容を報知するための単一の報知手段と、
前記判断結果管理手段に管理されている判断結果に基づいて前記報知手段に指令を出して異常の内容を報知させる報知指令手段と、
を備えるパチンコ遊技機であって、
前記異常判断手段は、
前記主制御部に設けられ、パチンコ遊技機各部に設けられている各種検出手段による検出結果に基づいて当該パチンコ遊技機に異常があるか否かを判断して判断結果を出力する様に構成されていると共に、前記音声制御部にも設けられ、前記音声出力装置及び当該音声制御部に異常があるか否かを判断して判断結果を出力する様に構成されており、
複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させる
ことを特徴とするパチンコ遊技機。
【請求項４】
入賞口に対するパチンコ球の入賞如何等の遊技状態に基づいて各種制御を行う主制御部と、
該主制御部から指令信号に基づいて、ＬＥＤ等の装飾照明を所定の態様で点灯させる装飾照明制御部と、
パチンコ遊技機各部に異常があるか否かを判断して判断結果を出力する異常判断手段と、
前記異常判断手段から出力される判断結果を管理する判断結果管理手段と、
発生した異常の内容を報知するための単一の報知手段と、
前記判断結果管理手段に管理されている判断結果に基づいて前記報知手段に指令を出して異常の内容を報知させる報知指令手段と、
を備えるパチンコ遊技機であって、
前記異常判断手段は、
前記主制御部に設けられ、パチンコ遊技機各部に設けられている各種検出手段による検出結果に基づいて当該パチンコ遊技機に異常があるか否かを判断して判断結果を出力する様に構成されていると共に、前記装飾照明制御部にも設けられ、前記装飾照明及び当該装飾照明制御部に異常があるか否かを判断して判断結果を出力する様に構成されており、
複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させることを特徴とするパチンコ遊技機。
【請求項５】
パチンコ球を払い出すパチンコ球払出装置を駆動して所定個数のパチンコ球を払い出させる払出制御部を備え、
前記主制御部は、当該パチンコ遊技機の遊技状態に応じて前記払出制御部に対してパチンコ球を払い出す旨の指令を出力する様に構成されており、
前記判断結果管理手段は、前記払出制御部に設けられている
ことを特徴とする請求項１乃至４の何れかに記載のパチンコ遊技機。
【請求項６】
抽選図柄等の所定の画像を表示する画像表示装置を駆動して所定の画像を表示させる画像制御部を備え、
前記主制御部は、当該パチンコ遊技機の遊技状態に応じて前記画像制御部に対して所定の画像を表示する旨の指令を出力する様に構成されており、
前記判断結果管理手段は、前記画像制御部に設けられている
ことを特徴とする請求項１乃至５の何れかに記載のパチンコ遊技機。
【請求項７】
効果音等の所定の音声を出力する音声出力装置を駆動して所定の音声を出力させる音声制御部を備え、
前記主制御部は、当該パチンコ遊技機の遊技状態に応じて前記音声制御部に対して所定の音声を出力する旨の指令を出力する様に構成されており、
前記判断結果管理手段は、前記音声制御部に設けられている
ことを特徴とする請求項１乃至６の何れかに記載のパチンコ遊技機。
【請求項８】
ＬＥＤ等の装飾照明を所定の態様で点灯させる装飾照明制御部を備え、
前記主制御部は、当該パチンコ遊技機の遊技状態に応じて前記装飾照明制御部に対して所定の態様で前記装飾照明を点灯させる旨の指令を出力する様に構成されており、
前記判断結果管理手段は、前記装飾照明制御部に設けられている
ことを特徴とする請求項１乃至７の何れかに記載のパチンコ遊技機。
【請求項９】
前記主制御部と当該主制御部以外の制御部との間で行われる通信は、当該主制御部から当該主制御部以外の制御部への一方向に限られることを特徴とする請求項１乃至８の何れかに記載のパチンコ遊技機。
【発明の詳細な説明】
【０００１】
【発明の属する技術分野】
本発明は、パチンコ遊技機に関し、特に、発生した異常を報知する構成に特徴があるパチンコ遊技機に関する。
【０００２】
【従来の技術】
従来、パチンコ遊技機は、パチンコ球の入賞口への入賞如何等に基づいて遊技の主たる制御を行う主制御基盤（主制御部）と、パチンコ球払出装置の駆動制御を行う払出制御基盤（払出制御部）と、を備えており、主制御基盤は、各種演算結果に基づいて外部に各種指令を出し、例えば払出制御基盤は、主制御基盤からの指令に従ってパチンコ球払出装置に所定数のパチンコ球を払い出させる様に構成されている。
【０００３】
又、パチンコ遊技機の各部には、不正がなされた場合や故障が発生した場合にその旨を検出するセンサが設けられており、各センサによる検出結果は主制御基盤，払出制御基盤に入力され、主制御基盤，払出制御基盤は、異常があると判断した場合にはその旨を報知する様に構成されている。具体的には、主制御基盤は、例えば大入賞口への入賞球を計数するためのカウントスイッチや大入賞口内の所謂特定領域をパチンコ球が通過した旨を検出するための特定領域スイッチに異常があるか否かを判断して、異常があれば液晶ディスプレイ（画像表示装置）にその旨を表示させる様に構成されており、払出制御基盤は、例えばプリペイドカードユニットに異常があるか否かを判断して、異常があれば当該払出制御基盤の表面に設置されている７セグメントＬＥＤ表示器にその旨を表示させる様に構成されている。パチンコ遊技場の店員は、液晶ディスプレイや７セグメントＬＥＤ表示器の表示内容によって、如何なる異常が発生したのかを把握することができるので、適切に点検・修理を行うことができる。
【０００４】
【発明が解決しようとする課題】
しかし、前述した従来のパチンコ遊技機においては、ある異常はパチンコ遊技機の正面側に設置されている液晶ディスプレイに、ある異常はパチンコ遊技機の背面側に設置されている７セグメントＬＥＤ表示器に、という様に分けて表示されるので、パチンコ遊技場の店員は、パチンコ遊技機の正面側及び裏面側を確認しなければ全ての異常を把握することができない。従って、面倒である。
【０００５】
そこで、本発明は、パチンコ遊技機において発生した全ての異常を容易に把握することができる様にすることを目的とする。
【０００６】
【課題を解決するための手段、及び発明の効果】
この様な目的を達成するため、第１の発明にかかるパチンコ遊技機は、請求項１に記載されている様に、入賞口に対するパチンコ球の入賞如何等の遊技状態に基づいて各種制御を行う主制御部と、該主制御部からの指令信号に基づいて、パチンコ球払出装置を駆動してパチンコ球を払い出させる払出制御部と、パチンコ遊技機各部に異常があるか否かを判断して判断結果を出力する異常判断手段と、前記異常判断手段から出力される判断結果を管理する判断結果管理手段と、発生した異常の内容を報知するための単一の報知手段と、前記判断結果管理手段に管理されている判断結果に基づいて前記報知手段に指令を出して異常の内容を報知させる報知指令手段と、を備えるパチンコ遊技機であって、前記異常判断手段は、前記主制御部に設けられ、パチンコ遊技機各部に設けられている各種検出手段による検出結果に基づいて当該パチンコ遊技機に異常があるか否かを判断して判断結果を出力する様に構成されていると共に、前記払出制御部にも設けられ、当該払出制御部に接続されている前記パチンコ球払出装置を含む各種装置に異常があるか否かを判断して判断結果を出力する様に構成されており、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させることを特徴とする。
【０００７】
本発明にかかるパチンコ遊技機では、従来のパチンコ遊技機と同様に、パチンコ球が入賞口に入賞すると、主制御部は、払出制御部に対してパチンコ球を払い出す旨の指令を出力する。そして、この指令を受けると、払出制御部は、パチンコ球払出装置を駆動して所定数のパチンコ球を払い出させる。
【０００８】
又、この様な一連の制御と並行して、主制御部に設けられている異常判断手段は、パチンコ遊技機各部に設けられている各種検出手段による検出結果に基づいて、当該パチンコ遊技機に異常があるか否かを判断し、払出制御部に設けられている異常判断手段は、払出制御部に接続されているパチンコ球払出装置を含む各種装置に異常があるか否かを判断する。
【０００９】
そして、本発明にかかるパチンコ遊技機においては、従来のパチンコ遊技機と異なり、主制御部に設けられている異常判断手段及び払出制御部に設けられている異常判断手段から出力される判断結果は、判断結果管理手段に集約されて管理され、報知指令手段は、判断結果管理手段に管理されている主制御部の異常判断手段から出力される判断結果，払出制御部の異常判断手段から出力される判断結果の両方に基づいて報知手段に報知させる。具体的には、主制御部の異常判断手段によって例えばカウントスイッチに異常があるか否かが判断され、払出制御基盤の異常判断手段によって例えばプリペイドカードユニットに異常があるか否かが判断され、判断結果は判断結果管理手段に集約されて管理される。そして、カウントスイッチ又はプリペイドカードユニットの何れかに異常がある場合には、報知指令手段が報知手段によってその旨を報知させる。
【００１０】
本発明にかかるパチンコ遊技機は、この様に構成されているので、主制御部の異常判断手段によって確認された異常であっても、払出制御部の異常判断手段によって確認された異常であっても、１つの報知手段によって報知することができる。従って、パチンコ遊技場の店員は、異常が発生した箇所や異常の態様等を容易に把握することができる。
又、本発明にかかるパチンコ遊技機は、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させる様に構成されている。優先順位は、例えば、遊技者に損害を与える蓋然性に基づいて設定されていても良いし、パチンコ遊技場の店員による点検作業の利便性に基づいて設定されていても良い。
この様に構成されていることにより、パチンコ遊技場の店員は、パチンコ遊技機から、何れの箇所を優先的に点検・修理して異常を解消すべきかについての指針を与えられるので、効率的に作業を行うことができる。
【００１１】
ところで、従来、パチンコ遊技機は、主制御部，払出制御部の他に、画像表示装置を駆動して抽選図柄等の所定の画像を表示させる画像制御部を備えている。そこで、第２の発明にかかるパチンコ遊技機は、請求項２に記載されている様に、入賞口に対するパチンコ球の入賞如何等の遊技状態に基づいて各種制御を行う主制御部と、該主制御部から指令信号に基づいて、抽選図柄等の所定の画像を表示する画像表示装置を駆動して所定の画像を表示させる画像制御部と、パチンコ遊技機各部に異常があるか否かを判断して判断結果を出力する異常判断手段と、前記異常判断手段から出力される判断結果を管理する判断結果管理手段と、発生した異常の内容を報知するための単一の報知手段と、前記判断結果管理手段に管理されている判断結果に基づいて前記報知手段に指令を出して異常の内容を報知させる報知指令手段と、を備えるパチンコ遊技機であって、前記異常判断手段は、前記主制御部に設けられ、パチンコ遊技機各部に設けられている各種検出手段による検出結果に基づいて当該パチンコ遊技機に異常があるか否かを判断して判断結果を出力する様に構成されていると共に、前記画像制御部にも設けられ、前記画像表示装置及び当該画像制御部に異常があるか否かを判断して判断結果を出力する様に構成されており、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させることを特徴とする。
【００１２】
本発明にかかるパチンコ遊技機では、主制御部の異常判断手段及び画像制御部の異常判断手段から出力される判断結果が判断結果管理手段に集約されて管理され、１つの報知手段によって報知される。従って、第１の発明にかかるパチンコ遊技機と同様に、複数種類の異常を１つの報知手段によって確認することができる。
又、本発明にかかるパチンコ遊技機は、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させる様に構成されている。優先順位は、例えば、遊技者に損害を与える蓋然性に基づいて設定されていても良いし、パチンコ遊技場の店員による点検作業の利便性に基づいて設定されていても良い。
この様に構成されていることにより、パチンコ遊技場の店員は、パチンコ遊技機から、何れの箇所を優先的に点検・修理して異常を解消すべきかについての指針を与えられるので、効率的に作業を行うことができる。
【００１３】
又、パチンコ遊技機によっては、音声出力装置を駆動して効果音等の所定の音声を出力させる音声制御部が、主制御部とは独立して設けられているものもある。そこで、第３の発明にかかるパチンコ遊技機は、請求項３に記載されている様に、入賞口に対するパチンコ球の入賞如何等の遊技状態に基づいて各種制御を行う主制御部と、該主制御部から指令信号に基づいて、効果音等の所定の音声を出力する音声出力装置を駆動して所定の音声を出力させる音声制御部と、パチンコ遊技機各部に異常があるか否かを判断して判断結果を出力する異常判断手段と、前記異常判断手段から出力される判断結果を管理する判断結果管理手段と、発生した異常の内容を報知するための単一の報知手段と、前記判断結果管理手段に管理されている判断結果に基づいて前記報知手段に指令を出して異常の内容を報知させる報知指令手段と、を備えるパチンコ遊技機であって、前記異常判断手段は、前記主制御部に設けられ、パチンコ遊技機各部に設けられている各種検出手段による検出結果に基づいて当該パチンコ遊技機に異常があるか否かを判断して判断結果を出力する様に構成されていると共に、前記音声制御部にも設けられ、前記音声出力装置及び当該音声制御部に異常があるか否かを判断して判断結果を出力する様に構成されており、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させることを特徴とする。
【００１４】
本発明にかかるパチンコ遊技機では、主制御部の異常判断手段及び音声制御部の異常判断手段から出力される判断結果が判断結果管理手段に集約されて管理され、１つの報知手段によって報知される。従って、第１及び第２の発明にかかるパチンコ遊技機と同様に、複数種類の異常を１つの報知手段によって確認することができる。
又、本発明にかかるパチンコ遊技機は、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させる様に構成されている。優先順位は、例えば、遊技者に損害を与える蓋然性に基づいて設定されていても良いし、パチンコ遊技場の店員による点検作業の利便性に基づいて設定されていても良い。
この様に構成されていることにより、パチンコ遊技場の店員は、パチンコ遊技機から、何れの箇所を優先的に点検・修理して異常を解消すべきかについての指針を与えられるので、効率的に作業を行うことができる。
【００１５】
又、パチンコ遊技機によっては、ＬＥＤ等の装飾照明を所定の態様で点灯させる装飾照明制御部が、主制御部とは独立して設けられているものもある。そこで、第４の発明にかかるパチンコ遊技機は、請求項４に記載されている様に、入賞口に対するパチンコ球の入賞如何等の遊技状態に基づいて各種制御を行う主制御部と、該主制御部から指令信号に基づいて、ＬＥＤ等の装飾照明を所定の態様で点灯させる装飾照明制御部と、パチンコ遊技機各部に異常があるか否かを判断して判断結果を出力する異常判断手段と、前記異常判断手段から出力される判断結果を管理する判断結果管理手段と、発生した異常の内容を報知するための単一の報知手段と、前記判断結果管理手段に管理されている判断結果に基づいて前記報知手段に指令を出して異常の内容を報知させる報知指令手段と、を備えるパチンコ遊技機であって、前記異常判断手段は、前記主制御部に設けられ、パチンコ遊技機各部に設けられている各種検出手段による検出結果に基づいて当該パチンコ遊技機に異常があるか否かを判断して判断結果を出力する様に構成されていると共に、前記装飾照明制御部にも設けられ、前記装飾照明及び当該装飾照明制御部に異常があるか否かを判断して判断結果を出力する様に構成されており、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させることを特徴とする。
【００１６】
本発明にかかるパチンコ遊技機では、主制御部の異常判断手段及び装飾照明制御部の異常判断手段から出力される判断結果が判断結果管理手段に集約されて管理され、１つの報知手段によって報知される。従って、第１乃至第３の発明にかかるパチンコ遊技機と同様に、複数種類の異常を１つの報知手段によって容易に確認することができる。
又、本発明にかかるパチンコ遊技機は、複数種類の異常が重複して発生し、当該複数種類の異常に対応する判断結果が前記判断結果管理手段に管理されている場合、前記報知指令手段は、予め設定されている優先順位に従って前記報知手段に順に指令を出して順に報知させる様に構成されている。優先順位は、例えば、遊技者に損害を与える蓋然性に基づいて設定されていても良いし、パチンコ遊技場の店員による点検作業の利便性に基づいて設定されていても良い。
この様に構成されていることにより、パチンコ遊技場の店員は、パチンコ遊技機から、何れの箇所を優先的に点検・修理して異常を解消すべきかについての指針を与えられるので、効率的に作業を行うことができる。
【００１７】
尚、判断結果管理手段は、主制御部，払出制御部等から分離されて単独で設けられていても良いが、請求項５に記載されている様に、払出制御部に設けられていても良い。
前述した様に、従来、払出制御部は、主制御部の指令に基づいてパチンコ球の払い出しにかかる制御を行っており、この指令は、具体的には、主制御部と払出制御部とを接続する通信線を介して伝えられる。このため、判断結果管理手段が払出制御部に設けられていれば、この通信線を利用して主制御部の異常判断手段から出力される判断結果を判断結果管理手段に伝えることができる。更に、前述した様に、従来のパチンコ遊技機の中には、払出制御部に７セグメントＬＥＤ表示器等の報知手段が設置されているものが多いので、判断結果管理手段が払出制御部に設けられていれば、従来の報知手段を用いて主制御部の異常判断手段及び払出制御部の異常判断手段から出力される判断結果に基づいて報知することができる。
【００１８】
従って、この様に判断結果管理手段が払出制御部に設けられている場合には、主制御部や払出制御部の構成を殆ど変更することなく主制御部及び払出制御部によって確認された異常を１つの報知手段によって報知することができる。
この他、請求項６に記載されている様に、判断結果管理手段は、画像制御部に設けられていても良いし、請求項７に記載されている様に、判断結果管理手段は、音声制御部に設けられていても良いし、請求項８に記載されている様に、判断結果管理手段は、装飾照明制御部に設けられていても良い。主制御部と画像制御部，音声制御部，装飾照明制御部との間にも通信線が設けられているので、判断結果管理手段が画像制御部，音声制御部，装飾照明制御部に設けられていれば、同様に、この通信線を利用して主制御部の異常判断手段から出力される判断結果を判断結果管理手段に伝えることができる。更に、判断結果管理手段が設けられている制御部に報知指令手段及び報知手段も設ければ、主制御部，画像制御部，音声制御部，装飾照明制御部の構成を殆ど変更することなく１つの報知手段によって報知することができる。
【００１９】
又、特に、パチンコ遊技機の機種変更を行うためには、主制御部及び画像制御部を新しいものと交換する必要があるので、判断結果管理手段，報知指令手段，報知手段が画像制御部に設けられていれば、機種毎に、具体的な報知方法等を設定することができる。例えば、報知手段として７セグメント表示器を用い、異常が発生し易い機種，異常の内容を詳細に報知させたい機種等の場合には２桁表示の７セグメント表示器を採用し、異常が発生し難い機種，異常の内容を詳細に報知させる必要がない機種等の場合には１桁表示の７セグメント表示器を採用する、という様に使い分けることができる。
【００２０】
又、音声制御部は音声出力装置を制御するだけであり、装飾照明制御部はＬＥＤ等の装飾照明を制御するだけであるので、主制御部，払出制御部に比べて構成が非常に簡素である。このため、音声制御部，装飾照明制御部に判断結果管理手段，報知指令手段，報知手段を設けたとしても、主制御部，払出制御部よりも構成は簡素であり、基盤等を小さくすることができる。従って、主制御部，払出制御部に比べて設置場所についての制約が少ないので、報知手段の報知内容を確認し易い場所に設置することができる。
【００２１】
又、請求項９に記載されている様に、前記主制御部と当該主制御部以外の制御部との間で行われる通信は、当該主制御部から当該主制御部以外の制御部への一方向に限られていると更に良い。本発明にかかるパチンコ遊技機がこの様に構成されている場合には、万一主制御部以外の制御部の処理手順を記録するＲＯＭ等が不正なものと交換されたとしても、不正な信号が主制御部へ入力されることがない。このため、主制御部は常に適正な処理を行うことができる。
【００２６】
【発明の実施の形態】
以下、本発明の一実施例を図面に基づいて説明する。
まず、本実施例のパチンコ遊技機の構成について説明する。
図１は、本実施例のパチンコ遊技機の正面図である。図２は、パチンコ遊技機の背面図である。図３は、パチンコ遊技機の主要部の電気的接続を説明するためのブロック図である。
【００２７】
本実施例のパチンコ遊技機１は、図１，２，３に示す様に、主制御基盤１０，払出制御基盤２０，画像制御基盤３０，音声制御基盤４０，ランプ制御基盤５０，プリペイドカードユニット６０，パチンコ球払出装置７０等を備える。
主制御基盤１０は、図３に示す様に、払出制御基盤２０，画像制御基盤３０，音声制御基盤４０，ランプ制御基盤５０と接続されており、パチンコ球の入賞口への入賞如何等に基づいてこれらに対して各種指令を出力する様に構成されている。
【００２８】
又、主制御基盤１０は、パチンコ球払出装置７０に供給するパチンコ球を貯蔵するパチンコ球タンク１ａに適量のパチンコ球が存在するか否かを検出するための補給スイッチ１１，パチンコ球タンク１ａからパチンコ球払出装置７０へパチンコ球を導く経路を構成する樋１ｂにおいて球詰まりが発生しているか否かを検出するための空切り防止スイッチ１２，パチンコ球払出装置７０から払い出されたパチンコ球によって下受け皿が満タン状態になっているか否かを検出するための満タンスイッチ１３，大入賞口に入賞したパチンコ球を計数するためのカウントスイッチ１４，大入賞口内に設けられている特定領域をパチンコ球が通過したか否かを検出するための特定領域スイッチ１５，パチンコ球払出装置７０から払い出された賞品球を計数するための賞品球センサ７２と接続されており、これらによる検出結果に基づいてパチンコ遊技機１の各部に異常があるか否かを判断し、異常があれば払出制御基盤２０に対して異常の内容に対応した第１〜第６異常信号を出力する様に構成されている。尚、第１〜第６異常信号については後述する。
【００２９】
又、主制御基盤１０は、パチンコ球タンク１ａのパチンコ球が不足している場合や樋１ｂにおいて球詰まりが発生している場合にその旨を報知するための補給ランプ１６，下受け皿が満タン状態になっている旨等を報知するための入賞ランプ１７とも接続されている。尚、補給スイッチ１１，空切り防止スイッチ１２，満タンスイッチ１３，カウントスイッチ１４，特定領域スイッチ１５，補給ランプ１６，入賞ランプ１７は一般に良く知られているので、詳細な説明は省略する。
【００３０】
払出制御基盤２０は、図３に示す様に、パチンコ球払出装置７０と接続されており、主制御基盤１０から出力される指令に基づいてパチンコ球払出装置７０に対して賞品球を払い出させるための指令を出力する様に構成されている。
又、払出制御基盤２０は、遊技者によるパチンコ球の貸出要求を受け付けるためのプリペイドカードユニット６０，パチンコ球払出装置７０から払い出された貸出球を計数するための貸出球センサ７１と接続されており、プリペイドカードユニット６０，パチンコ球払出装置７０に異常があるか否かを判断すると共に、プリペイドカードユニット６０からの貸出要求に基づいてパチンコ球払出装置７０に対して貸出球を払い出させるための指令を出力する様に構成されている。
【００３１】
又、払出制御基盤２０は、異常内容表示器２１を備えている。異常内容表示器２１は、０〜９までの数字等を表示することができる７セグメントＬＥＤ表示器であり、主制御基盤１０及び払出制御基盤２０自身が把握しているパチンコ遊技機１の異常内容を数字によって店員に報知する様に構成されている。
【００３２】
画像制御基盤３０は、特別図柄表示装置３１に指令を出して抽選図柄等の所定の画像を表示させるためのものである。
音声制御基盤４０は、音声出力装置４１に指令を出して効果音等の所定の音声を出力させるためのものである。
【００３３】
ランプ制御基盤５０は、装飾ランプ５１に指令を出して所定の態様で点灯させるためのものである。
プリペイドカードユニット６０は、プリペイドカード挿入口，貸出要求釦（図示せず）等を備え、遊技者によってプリペイドカードがプリペイドカード挿入口に挿入され、貸出要求釦が押圧されると、その旨を払出制御基盤２０に送信する様に構成されている。又、プリペイドカードユニット６０に挿入されたプリペイドカードの残高は、払出制御基盤２０によってカード残高表示器６１に表示される様に構成されている。尚、図２では、プリペイドカードユニット６０は省略されている。
【００３４】
パチンコ球払出装置７０は、パチンコ球タンク１ａから供給されるパチンコ球を払出制御基盤２０からの指令に基づいて払い出すためのものであり、払出制御基盤２０から貸出球を払い出す旨の指令が出力された場合にはパチンコ球を貸出球として払い出し、払出制御基盤２０から賞品球を払い出す旨の指令が出力された場合にはパチンコ球を賞品球として払い出す様に構成されている。具体的には、貸出球の場合には第１の通路からパチンコ球を払い出し、賞品球の場合にはパチンコ球払出装置７０内において通路を切り替え、第１の通路とは異なる第２の通路からパチンコ球を払い出す。そして、貸出球は第１の通路に設けられている貸出球センサ７１によって検出され、賞品球は第２の通路に設けられている賞品球センサ７２によって検出される。
【００３５】
尚、本実施例のパチンコ遊技機１は、大入賞口開放中に入賞したパチンコ球の内の１個を特定領域の手前で一時的に貯留し、大入賞口閉塞後に当該貯留しておいたパチンコ球を特定領域へ導く様に構成されている。
続いて、本実施例のパチンコ遊技機の作用について説明する。
【００３６】
尚、主制御基盤１０は、図４，５，６に示す処理の他、大当たり抽選処理，各種電動役物の制御等も行うが、説明は省略する。
まず、主制御基盤１０が行う異常判断処理を図４に示すフローチャートに沿って説明する。
【００３７】
この処理は、図示しない電源装置から主制御基盤１０に動作電力が供給されることにより開始される。
この処理が開始されると、主制御基盤１０は、補給スイッチ１１及び空切り防止スイッチ１２による検出結果に基づいて、パチンコ球が不足しているか否かを判断する（Ｓ１０）。具体的には、補給スイッチ１１，空切り防止スイッチ１２が共にパチンコ球を検出している場合にはパチンコ球が不足していない、即ち正常であると判断し、何れかがパチンコ球を検出していない場合にはパチンコ球が不足している、即ち異常であると判断する。そして、パチンコ球が不足していると判断した場合には（Ｓ１０において「ＹＥＳ」）、払出制御基盤２０に対して第１異常信号を送信する（Ｓ１１）。又、補給ランプ１６を点灯させる。そして、Ｓ２０に進む。一方、パチンコ球が不足していないと判断した場合には（Ｓ１０において「ＮＯ」）、Ｓ１１の処理を行わずにＳ２０に進む。
【００３８】
次に、主制御基盤１０は、満タンスイッチ１３による検出結果に基づいて、下受け皿が満タン状態になっているか否かを判断する（Ｓ２０）。具体的には、満タンスイッチ１３がパチンコ球を検出していない場合には下受け皿が満タン状態でない、即ち正常であると判断し、パチンコ球を検出している場合には満タン状態である、即ち異常であると判断する。そして、下受け皿が満タン状態であると判断した場合には（Ｓ２０において「ＹＥＳ」）、払出制御基盤２０に対して第２異常信号を送信する（Ｓ２１）。又、入賞ランプ１７を点灯させる。そして、Ｓ３０に進む。一方、満タン状態でないと判断した場合には（Ｓ２０において「ＮＯ」）、Ｓ２１の処理を行わずにＳ３０に進む。
【００３９】
次に、主制御基盤１０は、自身に備えられている入賞球カウンタがオーバーフロー状態になっているか否かを判断する（Ｓ３０）。ここで、入賞球カウンタについて説明する。本実施例のパチンコ遊技機１は、パチンコ球が一般入賞口に１個入賞すると賞品球を６個払い出し、パチンコ球が大入賞口に１個入賞すると賞品球を１３個払い出す様に構成されている。そして、主制御基盤１０は、一般入賞口へパチンコ球が入賞する毎に一般入賞口用の入賞球カウンタの値を１増加させ、払出制御基盤２０に対して６個のパチンコ球を払い出す旨の指令を出力する毎に入賞数カウンタの値を１減少させる様に構成されている。即ち、入賞球カウンタとは、ある時点において、あと何回払い出しの指令を出力する必要があるかを記憶するものである。又、主制御基盤１０は、大入賞口用の入賞球カウンタも同様に備えている。そして、入賞球カウンタがオーバーフロー状態になっていると判断した場合には（Ｓ３０において「ＹＥＳ」）、払出制御基盤２０に対して第３異常信号を送信し（Ｓ３１）、Ｓ４０に進む。一方、オーバーフロー状態になっていないと判断した場合には（Ｓ３０において「ＮＯ」）、Ｓ３１の処理を行わずにＳ４０に進む。
【００４０】
次に、主制御基盤１０は、カウントスイッチ１４及び特定領域スイッチ１５による検出結果に基づいて、カウントスイッチ１４，特定領域スイッチ１５に異常があるか否かを判断する（Ｓ４０）。具体的には、一定時間継続して導通状態又は非導通状態となった場合には、カウントスイッチ１４，特定領域スイッチ１５において断線又は短絡が発生している、即ち異常であると判断する。又、前述した様に、大入賞口開放中に入賞したパチンコ球が特定領域の手前で一時的に貯留され、大入賞口閉塞後に特定領域へ導かれるので、カウントスイッチ１４，特定領域スイッチ１５が適正であれば、カウントスイッチ１４による検出時期は特定領域スイッチ１５による検出時期よりも早いはずである。このため、カウントスイッチ１４による検出時期が特定領域スイッチ１５による検出時期よりも遅い場合には両者が入れ替えられている、即ち異常であると判断する。そして、カウントスイッチ１４，特定領域スイッチ１５に異常があると判断した場合には（Ｓ４０において「ＹＥＳ」）、払出制御基盤２０に対して第４異常信号を送信する（Ｓ４１）。又、画像制御基盤３０に対して指令を出して特別図柄表示装置３１にカウントスイッチ１４，特定領域スイッチ１５の異常を表示させる。そして、Ｓ５０に進む。一方、異常がないと判断した場合には（Ｓ４０において「ＮＯ」）、Ｓ４１の処理を行わずにＳ５０に進む。
【００４１】
次に、主制御基盤１０は、賞品球センサ７２による検出結果に基づいて、所定数の賞品球を払い出す旨の指令に対応する賞品球が払い出されたか否かを判断する（Ｓ５０）。具体的には、賞品球を６個払い出す旨の指令を出力したにもかかわらず、所定時間経過しても賞品球センサ７２によって６個の賞品球が検出されない場合には、パチンコ球払出装置７０から賞品球として払い出されるべきパチンコ球が貸出球として払い出されている、又はパチンコ球払出装置７０がパチンコ球を払い出していない、即ちパチンコ球払出装置７０に異常がある等と判断する。そして、指令通りに賞品球が払い出されていないと判断した場合には（Ｓ５０において「ＹＥＳ」）、払出制御基盤２０に対して第５異常信号を送信する（Ｓ５１）。又、入賞ランプ１７を点灯させる。そして、Ｓ６０に進む。一方、指令通りに賞品球が払い出されていると判断した場合には（Ｓ５０において「ＮＯ」）、Ｓ５１の処理を行わずにＳ６０に進む。
【００４２】
次に、主制御基盤１０は、賞品球センサ７２による検出結果に基づいて、指令を出力していない分の賞品球が検出されたか否かを判断する（Ｓ６０）。具体的には、何も指令を出力していないにもかかわらず、賞品球センサ７２によって賞品球が検出された場合には、パチンコ球払出装置７０から貸出球として払い出されるべきパチンコ球が賞品球として払い出されている、即ちパチンコ球払出装置７０に異常がある等と判断する。そして、指令を出力していない分の賞品球が検出されていると判断した場合には（Ｓ６０において「ＹＥＳ」）、払出制御基盤２０に対して第６異常信号を送信する（Ｓ６１）。又、入賞ランプ１７を点灯させる。そして、Ｓ１０に戻って処理を繰り返す。一方、指令を出力していない分の賞品球が払い出されていないと判断した場合には（Ｓ６０において「ＮＯ」）、Ｓ６１の処理を行わずにＳ１０に戻って処理を繰り返す。
【００４３】
次に、払出制御基盤２０が行う異常判断処理を図５に示すフローチャートに沿って説明する。
この処理は、図示しない電源装置から払出制御基盤２０に動作電力が供給されることにより開始される。
【００４４】
この処理が開始されると、払出制御基盤２０は、主制御基盤１０から送信される第１異常信号を受信しているか否かを判断する（Ｓ１１０）。そして、第１異常信号を受信している場合には（Ｓ１１０において「ＹＥＳ」）、第１フラグＦ１に１を代入する（Ｓ１１１）。一方、第１異常信号を受信していない場合には（Ｓ１１０において「ＮＯ」）、第１フラグＦ１に０を代入する（Ｓ１１２）。そして、Ｓ１２０に進む。
【００４５】
次に、払出制御基盤２０は、主制御基盤１０から送信される第２異常信号を受信しているか否かを判断する（Ｓ１２０）。そして、第２異常信号を受信している場合には（Ｓ１２０において「ＹＥＳ」）、第２フラグＦ２に１を代入する（Ｓ１２１）。一方、第２異常信号を受信していない場合には（Ｓ１２０において「ＮＯ」）、第２フラグＦ２に０を代入する（Ｓ１２２）。そして、Ｓ１３０に進む。
【００４６】
次に、払出制御基盤２０は、主制御基盤１０から送信される第３異常信号を受信しているか否かを判断する（Ｓ１３０）。そして、第３異常信号を受信している場合には（Ｓ１３０において「ＹＥＳ」）、第３フラグＦ３に１を代入する（Ｓ１３１）。一方、第３異常信号を受信していない場合には（Ｓ１３０において「ＮＯ」）、第３フラグＦ３に０を代入する（Ｓ１３２）。そして、Ｓ１４０に進む。
【００４７】
次に、払出制御基盤２０は、主制御基盤１０から送信される第４異常信号を受信しているか否かを判断する（Ｓ１４０）。そして、第４異常信号を受信している場合には（Ｓ１４０において「ＹＥＳ」）、第４フラグＦ４に１を代入する（Ｓ１４１）。一方、第４異常信号を受信していない場合には（Ｓ１４０において「ＮＯ」）、第４フラグＦ４に０を代入する（Ｓ１４２）。そして、Ｓ１５０に進む。
次に、払出制御基盤２０は、主制御基盤１０から送信される第５異常信号を受信しているか否かを判断する（Ｓ１５０）。又、払出制御基盤２０は、貸出球センサ７１による検出結果に基づいて、指令を出力した分の貸出球が検出されているか否かを判断する（Ｓ１５１）。具体的には、貸出球を１２５個払い出す旨の指令を出力したにもかかわらず、所定時間経過しても貸出球センサ７１によって１２５個の貸出球が検出されていない場合には、パチンコ球払出装置７０から貸出球として払い出されるべきパチンコ球が賞品球として払い出されている、又はパチンコ球払出装置７０がパチンコ球を払い出していない、即ちパチンコ球払出装置７０に異常がある等と判断する。そして、第５異常信号を受信している場合（Ｓ１５０において「ＹＥＳ」）、又は指令を出力した分の貸出球が所定時間内に検出されていない場合には（Ｓ１５１において「ＹＥＳ」）、第５フラグＦ５に１を代入する（Ｓ１５２）。一方、第５異常信号を受信しておらず（Ｓ１５０において「ＮＯ」）、かつ指令を出力した分の貸出球が所定時間内に検出されている場合には（Ｓ１５１において「ＮＯ」）、第５フラグＦ５に０を代入する（Ｓ１５３）。そして、Ｓ１６０に進む。
【００４８】
次に、払出制御基盤２０は、主制御基盤１０から送信される第６異常信号を受信しているか否かを判断する（Ｓ１６０）。又、払出制御基盤２０は、貸出球センサ７１による検出結果に基づいて、指令を出力していない分の貸出球が検出されているか否かを判断する（Ｓ１６１）。具体的には、何も指令を出力していないにもかかわらず、貸出球センサ７１によって貸出球が検出されている場合には、パチンコ球払出装置７０から賞品球として払い出されるべきパチンコ球が貸出球として払い出されている、即ちパチンコ球払出装置７０に異常がある等と判断する。そして、第６異常信号を受信している場合（Ｓ１６０において「ＹＥＳ」）、又は指令を出力していない分の貸出球が検出されている場合には（Ｓ１６１において「ＹＥＳ」）、第６フラグＦ６に１を代入する（Ｓ１６２）。一方、第６異常信号を受信しておらず（Ｓ１６０において「ＮＯ」）、かつ指令を出力していない分の貸出球が検出されていない場合には（Ｓ１６１において「ＮＯ」）、第６フラグＦ６に０を代入する（Ｓ１６３）。そして、Ｓ１７０に進む。
【００４９】
次に、払出制御基盤２０は、主制御基盤１０との通信内容に基づいて、主制御基盤１０と払出制御基盤２０との間の通信に異常があるか否かを判断する（Ｓ１７０）。具体的には、主制御基盤１０と払出制御基盤２０とを接続する通信線において断線等が発生したことにより、主制御基盤１０から所定時間毎に接続確認信号が送信されてこない場合、又は未定義の信号が送信されてきた場合等には、主制御基盤１０との間の通信に異常があると判断する。そして、主制御基盤１０との間の通信に異常があると判断した場合には（Ｓ１７０において「ＹＥＳ」）、第７フラグＦ７に１を代入する（Ｓ１７１）。一方、異常がないと判断した場合には（Ｓ１７０において「ＮＯ」）、第７フラグＦ７に０を代入する（Ｓ１７２）。そして、Ｓ１８０に進む。
【００５０】
次に、払出制御基盤２０は、プリペイドカードユニット６０との通信内容に基づいて、払出制御基盤２０とプリペイドカードユニット６０との間の通信に異常があるか否かを判断する（Ｓ１８０）。具体的には、払出制御基盤２０とプリペイドカードユニット６０とを接続する通信線において断線等が発生したことにより、プリペイドカードユニット６０から所定時間毎に接続確認信号が送信されてこなくなった場合、又は未定義の信号が送信されてきた場合等には、プリペイドカードユニット６０との間の通信に異常があると判断する。そして、プリペイドカードユニット６０との間の通信に異常があると判断した場合には（Ｓ１８０において「ＹＥＳ」）、第８フラグＦ８に１を代入する（Ｓ１８１）。一方、異常がないと判断した場合には（Ｓ１８０において「ＮＯ」）、第８フラグＦ８に０を代入する（Ｓ１８２）。そして、Ｓ１１０に戻って処理を繰り返す。
【００５１】
次に、払出制御基盤２０が行う異常表示処理を図６に示すフローチャートに沿って説明する。
この処理は、図５に示す異常判断処理と並行して行われる。
この処理が開始されると、払出制御基盤２０は、第８フラグＦ８が１であるか否かを判断し（Ｓ２１０）、第８フラグＦ８が１である場合には（Ｓ２１０において「ＹＥＳ」）、異常内容表示器２１に１秒間”８”を表示させる（Ｓ２１１）。
【００５２】
次に、払出制御基盤２０は、第７フラグＦ７が１であるか否かを判断し（Ｓ２２０）、第７フラグＦ７が１である場合には（Ｓ２２０において「ＹＥＳ」）、異常内容表示器２１に１秒間”７”を表示させる（Ｓ２２１）。
次に、払出制御基盤２０は、第６フラグＦ６が１であるか否かを判断し（Ｓ２３０）、第６フラグＦ６が１である場合には（Ｓ２３０において「ＹＥＳ」）、異常内容表示器２１に１秒間”６”を表示させる（Ｓ２３１）。
【００５３】
次に、払出制御基盤２０は、第５フラグＦ５が１であるか否かを判断し（Ｓ２４０）、第５フラグＦ５が１である場合には（Ｓ２４０において「ＹＥＳ」）、異常内容表示器２１に１秒間”５”を表示させる（Ｓ２４１）。
次に、払出制御基盤２０は、第４フラグＦ４が１であるか否かを判断し（Ｓ２５０）、第４フラグＦ４が１である場合には（Ｓ２５０において「ＹＥＳ」）、異常内容表示器２１に１秒間”４”を表示させる（Ｓ２５１）。
【００５４】
次に、払出制御基盤２０は、第３フラグＦ３が１であるか否かを判断し（Ｓ２６０）、第３フラグＦ３が１である場合には（Ｓ２６０において「ＹＥＳ」）、異常内容表示器２１に１秒間”３”を表示させる（Ｓ２６１）。
次に、払出制御基盤２０は、第２フラグＦ２が１であるか否かを判断し（Ｓ２７０）、第２フラグＦ２が１である場合には（Ｓ２７０において「ＹＥＳ」）、異常内容表示器２１に１秒間”２”を表示させる（Ｓ２７１）。
【００５５】
次に、払出制御基盤２０は、第１フラグＦ１が１であるか否かを判断し（Ｓ２８０）、第１フラグＦ１が１である場合には（Ｓ２８０において「ＹＥＳ」）、異常内容表示器２１に１秒間”１”を表示させる（Ｓ２８１）。そして、Ｓ２１０に戻って処理を繰り返す。
【００５６】
続いて、本実施例のパチンコ遊技機において実際に遊技を行った場合の具体的な動作内容の一例について説明する。
まず、遊技者がプリペイドカードユニット６０にプリペイドカードを挿入して貸出要求釦を押圧することによってパチンコ球の貸し出しを要求すると、払出制御基盤２０によってパチンコ球払出装置７０が駆動され、所定数、例えば１２５個のパチンコ球が貸出球として払い出される。遊技者は、このパチンコ球を用いて遊技を開始する。そして、パチンコ球が例えば所謂始動入賞口に入賞すると、主制御基盤１０によって大当たり抽選を含む各種演算が行われ、演算結果に基づいて払出制御基盤２０，画像制御基盤３０，音声制御基盤４０，ランプ制御基盤５０に対して各種指令が出力される。すると、払出制御基盤２０によってパチンコ球払出装置７０が駆動され、所定数、例えば６個のパチンコ球が賞品球として払い出される。又、画像制御基盤３０，音声制御基盤４０，ランプ制御基盤５０によって、特別図柄表示装置３１，音声出力装置４１，装飾ランプ５１が制御される。
【００５７】
そして、この様な一連の制御が行われている間に、例えば遊技島からパチンコ球タンク１ａへパチンコ球が供給されなくなってパチンコ球タンク１ａのパチンコ球が減少し、補給スイッチ１１によってパチンコ球が検出されなくなると、主制御基盤１０によってパチンコ球が不足していると判断され（Ｓ１０において「ＹＥＳ」）、主制御基盤１０から払出制御基盤２０へ第１異常信号が送信される（Ｓ１１）。又、このとき補給ランプ１６が点灯する。
【００５８】
そして、払出制御基盤２０によってこの第１異常信号が受信されると（Ｓ１１０において「ＹＥＳ」）、第１フラグＦ１が１になる（Ｓ１１１）。すると、Ｓ２８０において「ＹＥＳ」となり、異常内容表示器２１に１秒間”１”が表示される（Ｓ２８１）。尚、パチンコ球の不足以外に異常が確認されていない場合には、Ｓ１２０，Ｓ１３０，Ｓ１４０，Ｓ１５０，Ｓ１６０，Ｓ１７０，Ｓ１８０において「ＮＯ」となり、Ｆ２，Ｆ３，Ｆ４，Ｆ５，Ｆ６，Ｆ７，Ｆ８は０になる。このため、Ｓ２１０，Ｓ２２０，Ｓ２３０，Ｓ２４０，Ｓ２５０，Ｓ２６０，Ｓ２７０において「ＮＯ」となるので、Ｓ２８１の処理が繰り返される、即ち異常内容表示器２１に”１”が表示され続けることになる。そして、パチンコ遊技場の店員がパチンコ球を補給して補給スイッチ１１によってパチンコ球が検出されると（Ｓ１０において「ＮＯ」）、第１異常信号は送信されなくなり、第１フラグＦ１が０になる（Ｓ１１２）。すると、Ｓ２８０において「ＮＯ」となり、異常内容表示器２１には何も表示されなくなる。
【００５９】
又、同時に複数の異常が確認された場合、例えば、主制御基盤１０によって下受け皿の満タン状態が確認され、払出制御基盤２０によってプリペイドカードユニット６０との間の通信異常が確認された場合には、下受け皿が満タン状態であるので（Ｓ２０において「ＹＥＳ」）主制御基盤１０から払出制御基盤２０へ第２異常信号が送信され（Ｓ２１）、払出制御基盤２０によってこれが受信されると（Ｓ１２０において「ＹＥＳ」）第２フラグＦ２が１になる（Ｓ１２１）。又、このとき入賞ランプ１７が点灯する。又、プリペイドカードユニット６０との間の通信に異常があるので（Ｓ１８０において「ＹＥＳ」）第８フラグＦ８が１になる（Ｓ１８１）。すると、Ｓ２１０，Ｓ２７０において「ＹＥＳ」となり、異常内容表示器２１にまず１秒間”８”が表示され（Ｓ２１１）、次に１秒間は”２”が表示され（Ｓ２７１）、”８”と”２”が１秒間ずつ交互に表示される。
【００６０】
尚、本実施例において、主制御基盤１０が前述した主制御部に相当し、補給スイッチ１１，空切り防止スイッチ１２，満タンスイッチ１３，カウントスイッチ１４，特定領域スイッチ１５，貸出球センサ７１，賞品球センサ７２が前述した検出手段に相当し、主制御基盤１０が行う異常判断処理が前述した異常判断手段の作用に相当し、払出制御基盤２０が前述した払出制御部に相当し、払出制御基盤２０が行う異常判断処理が前述した異常判断手段，判断結果管理手段の作用に相当し、異常内容表示器２１が前述した報知手段に相当し、払出制御基盤２０が行う異常表示処理が前述した報知指令手段の作用に相当する。
【００６１】
続いて、本実施例のパチンコ遊技機の効果について説明する。
本実施例のパチンコ遊技機１においては、主制御基盤１０は、自身が異常を確認すると、払出制御基盤２０へ第１〜第６異常信号を送信する。そして、払出制御基盤２０は、自身において確認された異常と主制御基盤１０において確認された異常とを異常内容表示器２１に表示させる。従って、パチンコ遊技場の店員は、払出制御基盤２０に設けられている異常内容表示器２１を確認するだけで、複数種類の異常を把握することができる。従って、異常が発生した箇所や異常の態様等を容易に把握することができる。
【００６２】
又、主制御基盤１０から払出制御基盤２０へ指令を送信するための通信線を用いて異常信号を送信することができるので、主制御基盤１０や払出制御基盤２０の構成を殆ど変更する必要がない。
又、複数種類の異常が重複して発生した場合には、大きい数字から順に１秒間ずつ表示される。従って、パチンコ遊技場の店員は、パチンコ遊技機から、何れの箇所を優先的に点検・修理して異常を解消すべきかについての指針を与えられるので、効率的に作業を行うことができる。
【００６３】
以上、本発明の一実施例について説明したが、本発明は前述した実施例に何等限定されるものではなく、更に種々の態様において実施しても良いことはもちろんである。
例えば、実施例では、異常が発生すると、払出制御基盤２０が、異常内容表示器２１に随時異常の内容を表示させる様に構成されているが、主制御基盤１０及び払出制御基盤２０において確認された異常を所定時間保持しておき、優先順位（重要度）の高いものから報知する様に構成されていても良い。
【００６４】
又、実施例では、主制御基盤１０が払出制御基盤２０に対して指令信号の他に異常信号を出力することによって、主制御基盤１０及び払出制御基盤２０において確認された異常を払出制御基盤２０に設けられている異常内容表示器２１によってまとめて表示することができる様に構成されているが、図７（ａ）に示す様に、更に、画像制御基盤３０（前述した画像制御部に相当），音声制御基盤４０（前述した音声制御部に相当），ランプ制御基盤５０（前述した装飾照明制御部に相当）において何等かの異常が確認された場合に、画像制御基盤３０，音声制御基盤４０，ランプ制御基盤５０が払出制御基盤２０に対して異常信号を出力する様に構成されていても良い。この様に構成されている場合には、主制御基盤１０，払出制御基盤２０，画像制御基盤３０，音声制御基盤４０，ランプ制御基盤５０において確認された異常を払出制御基盤２０に設けられている異常内容表示器２１によってまとめて表示することができるので、一層便利である。
【００６５】
但し、払出制御基盤２０に対する入力信号数が増加すれば不正され易くなるので、図７（ｂ）に示す様に、異常信号を受けて異常内容を表示するための異常管理基盤を別途設け、払出制御基盤２０，画像制御基盤３０，音声制御基盤４０，ランプ制御基盤５０が異常管理基盤に対して異常信号を出力する様に構成されていても良い。この様に構成されている場合には、払出制御基盤２０の入力信号数は増加しないので、不正され易くなることはない。
【００６６】
又、この様に表示対象たる異常の種類が増加すると、図２に示す様な１桁表示の異常内容表示器では不十分であるので、１桁表示なら点滅させて区別させたり、あるいは、２桁以上表示することができるものを採用することが好ましい。
尚、この様に構成した場合、画像制御基盤３０，音声制御基盤４０，ランプ制御基盤５０が異常を確認して異常信号を出力する処理が前述した異常判断手段の作用に相当する。又、異常管理基盤は、前述した判断結果管理手段，報知指令手段に相当する。
【００６７】
又、実施例では、主制御基盤１０とその他の制御基盤との間の通信は、主制御基盤１０からその他の制御基盤への一方向に限られているが、双方向通信としても良い。更に、この様に構成されている場合には、その他の制御基盤が各々異常信号を主制御基盤１０に送り、主制御基盤１０から、異常内容表示器が設けられている基盤（実施例では払出制御基盤２０）に送る様に構成されていても良い。更に、その他の制御基盤から送られてくる異常信号を主制御基盤１０において所定時間保持しておき、所定時間内に送られてきた異常信号を一つの信号にまとめて送信する様に構成されていても良いし、優先順位の高いものから送信する様に構成されていても良い。
【００６８】
又、実施例では、入賞球カウンタがオーバーフロー状態になっている場合，指令を出力していない分の賞品球が検出されている場合には、異常内容表示器２１にその旨が表示されるだけで、パチンコ遊技機１の正面側からは異常の発生を確認することができない様に構成されているが、パチンコ遊技機１の正面側にこれらの異常が発生した場合にその旨を報知するための報知ランプを設け、パチンコ球タンク１ａのパチンコ球が不足している場合，下受け皿が満タン状態になっている場合，指令通りに賞品球が払い出されていない場合，カウントスイッチ１４又は特定領域スイッチ１５に異常がある場合に補給ランプ１６，入賞ランプ１７，特別図柄表示装置３１によって異常の発生を表示させるのと同様に、パチンコ遊技機１の正面側から異常の発生を確認することができる様に構成されていても良い。この様に構成されている場合には、全ての異常の発生をパチンコ遊技機１の正面側から確認することができるので、異常の発生を看過し難くなると共に、異常の発生をより早期に確認して点検・修理作業を行うことができる様になる。又、例えば、遊技者が何等かの細工を行って不正に賞品球を払い出させると、その旨が報知ランプによって報知されるので、不正な遊技者の存在を容易に確認することができると共に、不正な遊技者を威圧することによって不正行為を抑止することもできる。尚、報知ランプを別途設けるのではなく、既存の補給ランプ１６，入賞ランプ１７，特別図柄表示装置３１を流用して報知する様に構成されていても良い。
【００６９】
又、パチンコ遊技機１の正面側には異常の発生を一切表示せず、代わりにホールコンピュータに対して異常の発生を出力する様に構成されていても良い。この様に構成されている場合には、不正な遊技者に、不正行為が発覚していないと誤信させて不正行為を継続させることにより、確実な証拠を押えた上で捕まえることができる。
【００７０】
又、実施例では特に限定しなかったが、主制御基盤１０とその他の制御基盤との間の通信は、コマンドデータ形態とすることが好ましい。具体的には、第１〜第６異常信号を例えばデータコマンド０１Ｈ〜０６Ｈとして送信することが考えられる。データコマンドはコンピュータによる演算処理に適しており、各制御基盤は制御を効率良く行うことができる。尚、データコマンド形態とせず、計数線により通信を行う様に構成されていても良い。
【図面の簡単な説明】
【図１】  実施例のパチンコ遊技機の正面図である。
【図２】  パチンコ遊技機の背面図である。
【図３】  パチンコ遊技機の主要部の電気的接続を説明するためのブロック図である。
【図４】  主制御基盤の異常判断処理の流れを説明するためのフローチャートである。
【図５】  払出制御基盤の異常判断処理の流れを説明するためのフローチャートである。
【図６】  払出制御基盤の異常表示処理の流れを説明するためのフローチャートである。
【図７】  変形例の基盤の接続態様を説明するためのブロック図である。
【符号の説明】
１…パチンコ遊技機    １ａ…パチンコ球タンク    １ｂ…樋    １０…主制御基盤    １１…補給スイッチ    １２…空切り防止スイッチ    １３…満タンスイッチ    １４…カウントスイッチ    １５…特定領域スイッチ    １６…補給ランプ    １７…入賞ランプ    ２０…払出制御基盤    ２１…異常内容表示器    ３０…画像制御基盤    ３１…特別図柄表示装置    ４０…音声制御基盤
４１…音声出力装置    ５０…ランプ制御基盤    ５１…装飾ランプ    ６０…プリペイドカードユニット    ６１…カード残高表示器    ７０…パチンコ球払出装置    ７１…貸出球センサ    ７２…賞品球センサ。
【図１】
0004441942.tif 000002
【図２】
0004441942.tif 000003
【図３】
0004441942.tif 000004
【図４】
0004441942.tif 000005
【図５】
0004441942.tif 000006
【図６】
0004441942.tif 000007
【図７】
0004441942.tif 000008